(57)【要約】【課題】戻り球を発射球と衝突しないように回収する。【解決手段】戻り球防止弁５０を押し開けることなく遊技領域に到達することなく球発射通路４５を下降して戻り球Ｐ２となった場合、戻り球Ｐ２は矢印Ｘ２で示す経路で外ガイドレール４４を転がりながら直線部５８でまっすぐ下降して戻り球衝突体５５の進路変更面６１に衝突し、進路変更面６１は衝突した戻り球Ｐ２の進行方向を右斜め下方に向けるように変化させ、進路変更面６１への衝突で進行方向の変化された戻り球Ｐ２は発射球Ｐ１の矢印Ｘ１で示す経路を１回だけ横切った後、仕切体５６に衝突するかまたは衝突することなく、右斜め下方に落下して戻り球取入口１５に回収されるので、戻り球Ｐ２が発射球Ｐ１の矢印Ｘ１で示す経路を２回横切る場合に比べ、戻り球Ｐ２が発射球Ｐ１と衝突する可能性が減少し、戻り球Ｐ２が発射球Ｐ１と衝突しないように容易に回収できる。【選択図】図１
2007151679.tif 000002
【特許請求の範囲】
【請求項１】
遊技盤が遊技機枠の内部に装着され、遊技盤の前面には、内ガイドレールおよび外ガイドレールで囲まれた内側の遊技領域と、内ガイドレールの左側部および外ガイドレールの左側部の間の間隙により形成された球発射通路とが設けられ、ガイドレールの左側部は、上側円弧部と、上側円弧部の最左端部から下方に行くにしたがって徐々に球発射通路の横幅を広げるように延びた直線部とを備え、遊技機枠の前面には皿構造体が設けられ、遊技機枠の内部には球発射機構と球発射レールおよび戻り球取入口が皿構造体の裏側に位置するように設けられ、戻り球取入口は球発射機構から球発射レールを経由して球発射通路の側に移動する発射球の経路を邪魔しないように球発射レールよりも右側に離れて設けられ、ガイドレールの直線部の下部には、戻り球衝突体が、発射機構から球発射レールを経由して球発射通路の側に移動する発射球の経路を邪魔することなく、外ガイドレールを転がりながら下降して衝突した戻り球を上記発射球の経路を１回だけ横切るように右側に変化させて戻り球取入口に向けて落下させるように設けられたことを特徴とするパチンコ遊技機の戻り球回収装置。
【請求項２】
戻り球衝突体が、外ガイドレールと別体に構成されたことを特徴とする請求項１記載のパチンコ遊技機の戻り球回収装置。
【請求項３】
仕切体が、戻り球取入口と球発射レールとの間に位置し、戻り球衝突体によって発射球の経路を１回だけ横切るように右側に変化して戻り球取入口に向けて落下する戻り球を球発射レールの側に行かないように戻り球取入口に誘導するように設けられたことを特徴とする請求項１記載のパチンコ遊技機の戻り球回収装置。
【発明の詳細な説明】
【技術分野】
【０００１】
本発明は、戻り球が発射球と衝突しないように容易に回収できるパチンコ遊技機の戻り球回収装置に関する。
【背景技術】
【０００２】
パチンコ遊技機の戻り球回収装置には、図５に示す構造のものが知られている。図５において、第１邪魔板７１が遊技盤７２の外ガイドレール７３の下部に設けられ、第２邪魔板７４が遊技盤７２の内ガイドレール７５に設けられ、遊技機枠７６に遊技盤７２が装着された場合、戻り球通路７７が遊技機枠７６の球発射レール７８と遊技盤７２の第１邪魔板７１の間の間隙として形成される。そして、球発射機構７９から発射された発射球Ｐ３が球発射レール７８で遊技盤７２の側に誘導されると、発射球Ｐ３が球発射レール７８から戻り球通路７７および第１邪魔板７１を飛び越えて遊技盤７２の内ガイドレール７５と外ガイドレール７３との間の球発射通路８０の側に移動する。この球発射レール７８から球発射通路８０に移動する発射球Ｐ３の経路は、矢印Ｘ３で示す。球発射通路８０に移動した発射球Ｐ３は、外ガイドレール７３を転がりながら上昇して球発射通路８０から遊技盤７２の遊技領域８１に発射される。球発射通路８０を上昇する発射球Ｐ３が遊技領域８１に到達することなく球発射通路８０を下降して戻り球Ｐ４となることがある。戻り球Ｐ４は、外ガイドレール７３を転がりながら下降して第１邪魔板７１に衝突し、その進行方向を上向きに変化させた後、第２邪魔板７４に衝突するかまたは衝突することなく、落下して戻り球通路７７を経由して戻り球取入口８２に回収される。この戻り球Ｐ４が外ガイドレール７３から戻り球取入口８２に回収されるまでの経路は、矢印Ｘ４で示す。しかしながら、矢印Ｘ４で示す経路を通る戻り球Ｐ４が、矢印Ｘ３で示す発射球Ｐ３の経路を２回横切る構造であるため、戻り球Ｐ４が発射球Ｐ３と衝突する可能性が高い。戻り球Ｐ４が発射球Ｐ３と衝突した場合、発射球Ｐ３が単独で、または、戻り球Ｐ４が単独で、または、発射球Ｐ３および戻り球Ｐ４の双方が球発射レール７８に落下して球発射機構７９に到達する、戻り球Ｐ４の回収不良が発生するという欠点がある。
【特許文献１】特開２００５−６６３２９号公報
【特許文献２】実公平５−１５３４７号公報
【特許文献３】特開２００２−６５９６８号公報
【発明の開示】
【発明が解決しようとする課題】
【０００３】
発明が解決しようとする問題点は、戻り球と発射球とが衝突する可能性が高いという点である。
【課題を解決するための手段】
【０００４】
本発明に係るパチンコ遊技機の戻り球回収装置は、遊技盤が遊技機枠の内部に装着され、遊技盤の前面には、内ガイドレールおよび外ガイドレールで囲まれた内側の遊技領域と、内ガイドレールの左側部および外ガイドレールの左側部の間の間隙により形成された球発射通路とが設けられ、ガイドレールの左側部は、上側円弧部と、上側円弧部の最左端部から下方に行くにしたがって徐々に球発射通路の横幅を広げるように延びた直線部とを備え、遊技機枠の前面には皿構造体が設けられ、遊技機枠の内部には球発射機構と球発射レールおよび戻り球取入口が皿構造体の裏側に位置するように設けられ、戻り球取入口は球発射機構から球発射レールを経由して球発射通路の側に移動する発射球の経路を邪魔しないように球発射レールよりも右側に離れて設けられ、ガイドレールの直線部の下部には、戻り球衝突体が、球発射機構から球発射レールを経由して球発射通路の側に移動する発射球の経路を邪魔することなく、外ガイドレールを転がりながら下降して衝突した戻り球を上記発射球の経路を１回だけ横切るように右側に変化させて戻り球取入口に向けて落下させるように設けられたことを最も主要な特徴とする。戻り球衝突体が、外ガイドレールと別体に構成されたり、または、仕切体が、戻り球取入口と球発射レールとの間に位置し、仕切体が戻り球衝突体によって発射球の経路を１回だけ横切るように右側に変化して戻り球取入口に向けて落下する戻り球を球発射レールの側に行かないように戻り球取入口に誘導するように設けられたりしてもよい。
【発明の効果】
【０００５】
本発明に係るパチンコ遊技機の戻り球回収装置は、戻り球が外ガイドレールを転がりながら下降して戻り球衝突体に衝突してその進行方向を右側に変化させて発射球の経路を１回だけ横切った後、戻り球取入口に回収されるので、従来のように戻り球が発射球の経路を２回横切る場合に比べ、戻り球が発射球と衝突する可能性が減少し、戻り球が発射球と衝突しないように容易に回収できるという利点がある。戻り球衝突体が外ガイドレールと別体に構成されれば、戻り球衝突体を遊技盤に取り付けられるだけで、外ガイドレールの下部を曲げたりすることなく、外ガイドレールを従来形状のまま使用することができるという利点がある。仕切体が、球発射レールと戻り球取入口との間に位置し、戻り球衝突体によって発射球の経路を１回だけ横切るように右側に変化して戻り球取入口に向けて落下する戻り球を球発射レールの側に行かないように戻り球取入口に誘導するように設けられれば、戻り球を戻り球取入口に一層良好に回収できるという利点がある。
【発明を実施するための最良の形態】
【０００６】
図１および図２は、発明を実施するための最良の形態である。図１は、パチンコ遊技機の戻り球回収装置を組み立てて示す。図２は、パチンコ遊技機の戻り球回収装置を分解して示す。本明細書において、「前」、「後」、「裏」、「左」、「右」、「上」、「下」の方向は、図２の状態に遊技機枠１および遊技盤４１を置いて矢印Ａで示す前側から見た場合に特定される方向である。「後」と「裏」とは同じ方向である。
【０００７】
図２を参照し、パチンコ遊技機の戻り球回収装置の構造について説明する。パチンコ遊技機の戻り球回収装置は、遊技機枠１における戻り球取入口１５および遊技盤４１の戻り球衝突体５５により構成される。パチンコ遊技機の遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。可動枠３は、遊技盤や球払出機構および制御装置などの遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤ロック操作体１１、盤棚１２、球発射機構１３、球発射レール１４、戻り球取入口１５、前横樋１６、機外排出樋１７、施錠装置１８、ロック機構１９；２０；２１およびロック解除操作体２２が設けられる。盤収容部７は、遊技盤４１を可動枠３の前側から格納させるように、前側に開口した方形な箱形である。中央開口部８は、盤収容部７の背壁に、前後方向への貫通孔として形成される。
【０００８】
盤後側押出部９は、遊技盤４１を前側に押す板ばねのような弾性体である。盤前側受止部１０は、盤後側押出部９で前側に押された遊技盤４１を受け止める突起である。盤後側押出部９が後側で盤前側受止部１０が前側となるように、盤後側押出部９および盤前側受止部１０が盤収容部７の左側部に設けられる。盤ロック操作体１１は、盤収容部７の背壁から前側に突出し、盤収容部７の背壁と平行な方向に回転可能に、盤収容部７の右側部に設けられる。盤棚１２は、遊技盤４１を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。戻り球取入口１５は、球発射機構１３から球発射レール１４を経由して遊技盤４１の球発射通路４５の側に移動する発射球の経路を邪魔しないように球発射レール１４よりも右側に離れて設けられる。機外排出樋１７は、盤棚１２から下側に延設された前壁の裏面に設けられる。施錠装置１８、ロック機構１９；２０；２１、ロック解除操作体２２は、可動枠３の右側部に設けられる。
【０００９】
前扉４および皿構造体５は、個別に、左側に位置するヒンジ２４を中心とし、可動枠３の前側で前側に開かれかつ後側に閉じられるように、片開き可能である。前扉４は、パネル枠とも呼ばれ、前後方向に貫通する窓２５を囲む額縁形状である。前扉４の裏面には、透視性パネル２６が設けられる。透視性パネル２６は、ガラスまたは合成樹脂からなる光を透過する性質の有る無色であって、窓２５を裏側から塞ぐ。皿構造体５は、球受皿部２７および球発射操作機構２８を、皿構造体５の前面から前側に突出した形態に備える。球受皿部２７は、遊技に使用する球を受ける上側に開口した上側から下側に窪む容器である。球発射操作機構２８は、遊技者が球を発射するために操作するものである。皿構造体５の裏面には、球取入口２９および球供給口３０が設けられる。皿構造体５が閉じられた場合、ロック解除操作体２２、球発射機構１３、球発射レール１４、戻り球取入口１５、前横樋１６は、皿構造体５で覆い隠される。
【００１０】
可動枠３が閉じられて固定枠２にロック機構１９で開閉不能に支持され、前扉４および皿構造体５が閉じられて可動枠３にロック機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３とのロック機構１９による支持形態が解除される。この支持形態の解除後に、店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４とのロック機構２０による支持形態が解除される。この支持形態の解除後に、店員が前扉４を前側に引くことによって、前扉４はヒンジ２４を中心として前側に片開きされる。このように、前扉４が前側に開かれた状態において、店員がロック解除操作体２２を操作すると、可動枠３と皿構造体５とのロック機構２１による支持形態が解除される。この支持形態の解除後に、店員が皿構造体５を前側に引くことによって、皿構造体５はヒンジ２４を中心として前側に片開きされる。
【００１１】
パチンコ遊技機の遊技盤４１は、遊技基盤４２、内ガイドレール４３、外ガイドレール４４、球発射通路４５、遊技領域４６、入賞部品４７、遊技釘４８、アウト口４９、戻り球防止弁５０、球反発体５１、取付部５２、ロック挿入孔５３、証紙台５４、戻り球衝突体５５、仕切体５６を備える。球発射通路４５は、内ガイドレール４３の左側部と外ガイドレール４４の左側部との間に位置し、前側開放縦溝形状に形成される。遊技領域４６は、内ガイドレール４３と外ガイドレール４４とで囲まれた遊技基盤４２の前面により形成される。入賞部品４７、遊技釘４８、アウト口４９、戻り球防止弁５０、球反発体５１は、遊技領域４６において、遊技基盤４２に取り付けられる。取付部５２は、遊技盤４１を遊技機枠１に固定するために、遊技基盤４２の右側の上下部に設けられる。ロック挿入孔５３は、取付部５２に設けられる。証紙台５４は、遊技基盤４２の右側の下部に前後方向に開閉可能に設けられる。証紙台５４が、遊技基盤４２との連結部である図外のヒンジを中心として前方に開かれることによって、下部の取付部５２が、遊技盤４１の前側から見える格好となる。そして、証紙台５４が上記ヒンジを中心として後方に閉じられて遊技基盤４２に受け止められると、下部の取付部５２が証紙台５４で覆われて遊技基盤４２の前側から見えなくなる。閉じられた証紙台５４の前面には、遊技盤４１の検査に合格して販売の認可を受けたことを示す図外の証紙が、貼り付けられる。
【００１２】
外ガイドレール４４の左側部は、上側円弧部５７および直線部５８を備える。上側円弧部５７は、上に凸となる円形である。直線部５８は、上側円弧部５７の最左端部５９と接線となるように接触し、上側円弧部５７の最左端部５９から下方に行くにしたがって徐々に球発射通路の横幅を広げるように直線的に下方に延びる。最左端部５９から下方に延びる図１に示す鉛直線Ｌと直線部５８との挟角θは、例えば、６度に設定されている。このように、直線部５８が最左端部５９から下方に行くにしたがって右側に位置するように傾斜することによって、戻り球Ｐ２が戻り球防止弁５０の側から下方に落下する場合、戻り球Ｐ２が最左端部５９を通過した後に直線部５８の上を転がりながら戻り球衝突体５５の方向に落下する。戻り球衝突体５５は、球発射機構１３から球発射レール１４を経由して球発射通路４５の側に移動する図１に示す発射球Ｐ１の矢印Ｘ１で示す経路を邪魔することなく、外ガイドレール４４を転がりながら下降して衝突した図１の戻り球Ｐ２を発射球Ｐ１の矢印Ｘ１で示す経路を１回だけ横切るように右側に変化させて戻り球取入口１５に向けて落下させるように、外ガイドレール４４の直線部５８の下部に設けられるものである。戻り球衝突体５５の右側部には、レール収容部６０が上側で、進路変更面６１が下側となるように、レール収容部６０および進路変更面６１が設けられる。戻り球衝突体５５には、取付孔６２が前後方向への貫通孔として設けられる。戻り球衝突体５５の裏面には、位置決め突起６３が裏面から裏側に突出するように、設けられる。
【００１３】
そして、戻り球衝突体５５の裏面が遊技基盤４２の前面の側に向けられ、位置決め突起６３が遊技基盤４２の前面から内部への窪みとして遊技基盤４２に形成された図外の位置決め孔に挿入され、釘またはねじ釘などの固着具６４が戻り球衝突体５５の前側から取付孔６２を経由して遊技基盤４２に挿入されて結合されることによって、レール収容部６０が外ガイドレール４４の直線部５８の下部を左側から取り込むように収容し、戻り球衝突体５５が直線部５８の下部に設けられて遊技基盤４２に取り付けられ、進路変更面６１が直線部５８から下方に連なって右側下方に弧状に曲がった配置となる。仕切体５６は、球発射レール１４と戻り球取入口１５との間に位置し、戻り球衝突体５５によって図１の発射球Ｐ１の矢印Ｘ１で示す経路を１回だけ横切るように右側に変化して戻り球取入口１５に向けて落下する戻り球Ｐ２を球発射レール１４の側に行かないように戻り球取入口１５に誘導するように、遊技基盤４２に設けられる。仕切体５６は、例えば、図外の釘またはねじ釘などの固着具で遊技基盤４２に取り付けられる。
【００１４】
遊技盤４１を遊技機枠１に装着する仕方について説明する。可動枠３が閉じられて固定枠２にロック機構１９で開閉不能に支持され、少なくとも、前扉４が可動枠３の前側に片開きされた状態において、遊技盤４１の裏面が遊技機枠１の方に向けられ、遊技盤４１の遊技領域４６が前側に向けられ、遊技盤４１の左側部が遊技機枠１の前側から盤収容部７に挿入され、遊技盤４１の下部が盤棚１２の上に載せられ、遊技盤４１の左側部が盤後側押出部９と盤前側受止部１０との間に挿入されて盤後側押出部９と盤前側受止部１０とで前後方向から挟まれる。その後、遊技盤４１の右側部が作業者によって後側に押され、盤ロック操作体１１がロック挿入孔５３に後側から挿入されて前側に突出した状態において、作業者が盤ロック操作体１１を例えば右方向に９０度回転操作すると、盤ロック操作体１１がロック挿入孔５３の周りにおける取付部５２と係合し、遊技盤４１が可動枠３に取り付けられる。
【００１５】
遊技盤４１が可動枠３に取り付けられ、前扉４および皿構造体５が閉じられて可動枠３にロック機構２０；２１で開閉不能に支持され、遊技者が球受皿部２７にパチンコ球と呼ばれる球を入れて球発射操作機構２８を操作すると、球発射機構１３が球発射操作機構２８から出力された操作量に応じた発射力で例えば１分間に１から１００発未満までの所定数の間隔で駆動し、球発射機構１３が球受皿部２７から球供給口３０を経由して球発射レール１４に供給された球を発射球として１個ずつ遊技盤４１の球発射通路４５に向けて発射する。この球発射通路４５に発射された球が、球発射通路４５の球出口から戻り球防止弁５０を押し開けて遊技領域４６に到達した後に遊技領域４６を流下する過程において、入賞部品４７に入賞すると、入賞部品４７に入賞した球が、遊技盤４１の裏側に排出される一方、球の入賞した入賞部品４７の種類に対応する賞球としての球が、図外の球払出機構から球受皿部２７に払い出される。入賞部品４７に入賞しないで遊技領域４６の最下部に流れた球は、アウト口４９に取り込まれて遊技盤４１の裏側に排出される。
【００１６】
最良の形態では、図１において、遊技盤４１が可動枠３に取り付けられ、球発射機構１３から発射された発射球Ｐ１は、矢印Ｘ１で示す経路で、球発射レール１４から戻り球衝突体５５に接触することなく戻り球衝突体５５を飛び越えて球発射通路４５に移動した後に、外ガイドレール４４を転がりながら上昇して球発射通路４５から遊技盤４１の遊技領域４６に向けて発射される。矢印Ｘ１で示す経路は、球発射レール１４から球発射通路４５に移動した発射球Ｐ１が外ガイドレール４４に接触するまでは直線であり、外ガイドレール４４に接触した発射球Ｐ１が外ガイドレール４４を転がりながら上昇する場合は曲線である。
【００１７】
そして、球発射通路４５を上昇する発射球Ｐ１が、戻り球防止弁５０を押し開けることなく遊技領域に到達することなく球発射通路４５を下降して戻り球Ｐ２となった場合、戻り球Ｐ２は、矢印Ｘ２で示す経路で、外ガイドレール４４を転がりながら直線部５８でまっすぐ下降して戻り球衝突体５５の進路変更面６１に衝突する。進路変更面６１は、衝突した戻り球Ｐ２の進行方向を右斜め下方に向けるように変化させる。進路変更面６１への衝突で進行方向の変化された戻り球Ｐ２は、発射球Ｐ１の矢印Ｘ１で示す経路を１回だけ横切った後、仕切体５６に衝突するかまたは衝突することなく、右斜め下方に落下して戻り球取入口１５に回収される。要するに、戻り球Ｐ２が発射球Ｐ１の矢印Ｘ１で示す経路を１回だけ横切るだけであるので、図５のように戻り球Ｐ２が発射球Ｐ１の矢印Ｘ３で示す経路を２回横切る場合に比べ、戻り球Ｐ２が発射球Ｐ１と衝突する可能性が減少し、戻り球Ｐ２が発射球Ｐ１と衝突しないように容易に回収できるという利点がある。
【００１８】
戻り球衝突体５５が、外ガイドレール４４と別体に構成され、外ガイドレール４４の下部で直線部５８の下方への延長線上に位置し、遊技基盤４２に釘またはねじ釘などの固着具６４で遊技基盤４２の前側から取り付けられたので、外ガイドレール４４の下部を戻り球衝突体５５のように曲げたりすることなく、外ガイドレール４４を従来形状のまま使用することができるという利点がある。仕切体５６が、球発射レール１４と戻り球取入口１５との間に位置し、戻り球衝突体５５によって発射球Ｐ１の矢印Ｘ１で示す経路を１回だけ横切るように右側に変化して戻り球取入口１５に向けて落下する戻り球Ｐ２を球発射レール１４の側に行かないように戻り球取入口１５に誘導するように設けられたので、戻り球Ｐ２を戻り球取入口１５に一層良好に回収できるという利点がある。発射球Ｐ１および戻り球Ｐ２は、パチンコ球と呼ばれる球である。
【産業上の利用可能性】
【００１９】
図３は、戻り球衝突体５５が外ガイドレール４４の直線部５８の下部に一体に設けられる。直線部５８の下部が次のように折り曲げられることによって、戻り球衝突体５５が直線部５８の下部に一体に設けられる。つまり、戻り球衝突体５５および直線部５８が単一体を構成する。直線部５８の下部が右斜め下方に向けて折り曲げられて進路変更面６１を形成し、進路変更面６１の下部が左斜め下方に向けて折り曲げられて補強部６５を形成する。進路変更面６１の戻り球の衝突する上面には、戻り球衝突体５５と別体に構成された衝撃吸収体６６が取り付けられる。衝撃吸収体６６は、ゴムまたは底反発体のような衝突を吸収する性質の有る部材により構成される。例えば、衝撃吸収体６６には、図外の突起が衝撃吸収体６６の下面から下方に突出するように設けられ、進路変更面６１には、図外の取付孔が上下方向への貫通孔として設けられ、衝撃吸収体６６の突起が進路変更面６１の上方から進路変更面６１の取付孔に脱落しないように嵌め込まれることによって、衝撃吸収体６６が進路変更面６１に取り付けられる。これによって、戻り球が、進路変更面６１に直接に衝突することなく、進路変更面６１に支持された衝撃吸収体６６に衝突するので、戻り球衝突体５５および直線部５８が金属材から単一体として構成されても、戻り球の衝突による金属音の発生が抑制できるという利点がある。
【００２０】
図４は、外ガイドレール４４の直線部５８における最左端部５９から下方への長さを図２や図３よりも短く形成し、戻り球衝突体５５が短寸の直線部５８の下部から下方に継ぎ足されるように遊技基盤４２に固着具６４で取り付けられる。これにより、球発射レール１４から発射される発射球の着地点となるので、摩耗した場合に交換すれば良い。
【図面の簡単な説明】
【００２１】
【図１】パチンコ遊技機の戻り球回収装置の組立正面図（最良の形態）。
【図２】パチンコ遊技機の戻り球回収装置の分解斜視図（最良の形態）。
【図３】パチンコ遊技機の戻り球回収装置の組立正面図（異なる形態）。
【図４】パチンコ遊技機の戻り球回収装置の組立正面図（異なる形態）。
【図５】パチンコ遊技機の戻り球回収装置の組立正面図（従来）。
【符号の説明】
【００２２】
１    遊技機枠
３    可動枠
７    盤収容部
１３  球発射機構
１４  球発射レール
１５  戻り球取入口
４１  遊技盤
４２  遊技基盤
４４  外ガイドレール
４５  球発射通路
４６  遊技領域
５５  戻り球衝突体
５６  仕切体
５７  上側円弧部
５８  直線部
５９  最左端部
６１  進路変更面
６６  衝撃吸収体
【図１】
2007151679.tif 000003
【図２】
2007151679.tif 000004
【図３】
2007151679.tif 000005
【図４】
2007151679.tif 000006
【図５】
2007151679.tif 000007